(57)【要約】【課題】構造が簡単で、操作が容易で排尿を確実に便器内に導入できる、製造コストが極めて安価な、男性用排尿補助具を提供する。【解決手段】１枚の紙製シート１の中心部に折り畳み線２を形成すると共に、該折り畳み線２の左右には対称形となる略二等辺三角形状の壁面部３、４を形成して裁断し、左右壁面部３、４の斜辺端部３ｄ、４ｄを接着剤を介して貼着し、上部に大径の開口部Ａ１を形成すると共に、下部には小径の開口部Ａ２を形成してなる。【選択図】図１
0003133804.tif 000002
【実用新案登録請求の範囲】
【請求項１】
１枚の紙製シートの中心部に折り畳み線を形成すると共に、該折り畳み線の左右には対称形となる略二等辺三角形状の壁面部を形成して裁断し、
前記左右壁面部の斜辺端部を接着剤を介して貼着し、
上部に大径の開口部を形成すると共に、下部には小径の開口部を形成したことを特徴とする、男性用排尿補助具。
【請求項２】
１枚の紙製シートを扇状に裁断し、
該扇状の左右端部を接着剤で貼着して漏斗状円錐形に成型し、
上部に大径の開口部を形成すると共に、下部には小径の開口部を形成したことを特徴とする、男性用排尿補助具。
【請求項３】
前記小径の開口部が、成人男性用として、折り畳まれた状態で、少なくとも８ｍｍ以上９ｍｍ以下であることを特徴とする、請求項１〜請求項２の何れかに記載の男性用排尿補助具。
【請求項４】
前記略二等辺三角形状の壁面部中心の上端から下端に谷折れ線を刻設したことを特徴とする、請求項１又は請求項３の何れかに記載の男性用排尿補助具。
【請求項５】
前記紙製シートがコート紙であることを特徴とする、請求項１〜請求項４の何れかに記載の、男性用排尿補助具。
【考案の詳細な説明】
【技術分野】
【０００１】
本考案は、男性用排尿補助具に係り、さらに詳しくは、男性が洋式便器又は和式便器での排尿時において便器周縁部又は便器近傍床面に排尿が飛散することを防止する、男性用排尿補助具に関する。
【背景技術】
【０００２】
近年、一般家庭において、起倒型便座付き男女兼用便器、いわゆる洋式便器が普及している。一般的に、男性が男女兼用の洋式便器で排尿するときは、便座を引き起こし、便器に正対した立姿勢で排尿している。使用者が高齢者、小児はもちろん、健常な成人男性でもときには、便器内に確実に排尿することができず、便器又は便器周辺の床面、壁面等に尿の飛沫を飛散させることが多々あり、アンモニア臭の発生、また非衛生となるために、便器、便座はもとより、便器周辺の清掃を頻繁に行わなければならないという問題点がある。
【０００３】
上記の問題点を解決するために、各種の提案がなされている。例えば、特開２００４−７６４４２の「洋式便器の飛沫遮蔽具」は、上端開口部及び下端開口部を有する筒状の尿受け部材を備え、該尿受け部材の下端開口部は、洋式便器の開口部内に収納可能な寸法を備え、該尿受け部材の外面には、洋式便器の開口部周縁の平坦面と係合するための突出部が設けられており、該尿受け部材の下端辺と上記突出部の下端との間には、所定の間隔が設けられていることを特徴としている。
【０００４】
また、特開２００２−３０９６４７の「洋式便器における男子小便時の尿の飛散及び残尿の垂れ防止装置」は、洋式便器の便座を上げる力を利用して立ち上がる囲いを洋式便器に装着し、その囲いによって尿の飛散及び残尿の垂れを防止することを特徴としている。さらに、特開２００１−５５７７７の「小便補助ノズル」は、ほぼ筒状本体の上部側壁に開口部を有し、筒状本体下部には先端に適度な速度で小便を放出できるノズルをもつ漏斗を形成した樹脂等防水性素材よりなることを特徴としている。
【０００５】
【特許文献１】特開２００４−７６４４２号公報
【特許文献２】特開２００２−３０９６４７号公報
【特許文献３】特開２００１−５５７７７号公報
【考案の開示】
【考案が解決しようとする課題】
【０００６】
しかしながら、上記特許文献１の洋式便器の飛沫遮蔽具は、男子が排尿毎にこれを便器内に立設しなければならないので、小児などは飛沫遮蔽具を立設する時間の余裕がなく、便器外に放尿することになって床面を汚すことがある。また該飛沫遮蔽具の高さも小児には高い障壁となり、さらに使用後は、排便時に備えるために、これをその都度除去しなければならないという不具合をも有する。
【０００７】
また、特許文献２は、蛇腹状の囲いを便器の側面・便座裏の一部に装着し便座を上げる力を利用してその囲いを便器からラッパ状に立ち上がらせて使用するが、特許文献１と同様に、蛇腹状の囲いが便器前方に立ち上がるので、排尿が便器前方の囲いを越えないときもあり、その排尿飛沫で着衣や下着を汚す結果ともなりうる。さらに、長期に使用すれば囲い内面に付着した排尿の飛沫によって、アンモニア臭発生の原因ともなる。
【０００８】
特許文献３は、樹脂等防水性素材よりなるので、「小便補助ノズル」は、便器内に使い捨てできないので、用便後、これを洗浄しなければならないという不具合があり、
また洗浄を怠ると、非衛生的かつ異臭を放散することになる。
【０００９】
本考案の課題は、構造が簡単で、操作が容易で排尿を確実に便器内に導入できる、
製造コストが極めて安価な、男性用排尿補助具を提供することにある。
【００１０】
本考案者は、上記従来の洋式便器における男子排尿飛沫の飛散装置また、小便補助ノズル等が有する、問題点、不具合等を鋭意、検討を重ねた結果、本考案を完成したものである。課題を解決するための手段は、本願、実用新案登録請求の範囲の各請求項に記載の考案であり、その具体的な解決手段は、以下の通りである。
【課題を解決するための手段】
【００１１】
課題を解決するための第１の考案は、請求項１に記載の考案であり、１枚の紙製シートの中心部に折り畳み線を形成すると共に、該折り畳み線の左右には対称形となる略二等辺三角形状の壁面部を形成して裁断し、前記左右壁面部の斜辺端部を接着剤を介して貼着し、上部に大径の開口部を形成すると共に、下部には小径の開口部を形成したことを特徴としている。
【００１２】
課題を解決するための第２の考案は、請求項２に記載の考案であり、１枚の紙製シートを扇状に裁断し、該扇状の左右端部を接着剤で貼着して漏斗状円錐形に成型し、上部に大径の開口部を形成すると共に、下部には小径の開口部を形成したことを特徴としている。
【００１３】
課題を解決するための第３の考案は、請求項３に記載の考案であり、前記小径の開口部が、成人男性用として、折り畳まれた状態で、少なくとも８ｍｍ以上９ｍｍ以下であることを特徴としている。
【００１４】
課題を解決するための第４の考案は、請求項４に記載の考案であり、 前記略二等辺三角形状の壁面部中心の上端から下端に谷折れ線を刻設したことを特徴としている。
【００１５】
課題を解決するための第５の考案は、請求項５に記載の考案であり、前記紙製シートがコート紙であることを特徴としている。
【考案の効果】
【００１６】
請求項１記載の考案によれば、本考案に係る男性用排尿補助具は、１枚の紙製シートの中心部に折り畳み線を形成すると共に、該折り畳み線の左右には対称形となる略二等辺三角形状の壁面部を形成して裁断し、前記左右壁面部の斜辺端部を接着剤を介して貼着し、上部に大径の開口部を形成すると共に、下部には小径の開口部を形成してなるから、構造が簡単で、操作が容易で排尿を確実に便器内に導入できる、製造コストが極めて安価な、男性用排尿補助具を提供するという、本考案の課題を解決することができた。
【００１７】
請求項２記載の考案によれば、１枚の紙製シートを扇状に裁断し、該扇状の左右端部を接着剤で貼着して漏斗状円錐形に成型し、上部に大径の開口部を形成すると共に、下部には小径の開口部を形成したので、第１の考案と同様に、構造が簡単で、操作が容易で排尿を確実に便器内に導入できる、製造コストが極めて安価な、男性用排尿補助具を提供するという、本考案の課題を解決することができた。
【００１８】
請求項３記載の考案によれば、小径の開口部が、成人男性用として、折り畳まれた状態で、少なくとも８ｍｍ以上９ｍｍ以下としているから、該開口部を排尿口として排尿処理が好適かつ円滑に行われる。
【００１９】
請求項４記載の考案によれば、略二等辺三角形状の壁面部中心の上端から下端に谷折れ線を刻設しているので、大径開口部、小径開口部は谷折れ線を介して容易に拡張することができ、放尿、排尿が円滑に行える。
【００２０】
請求項５記載の考案によれば、紙製シートがコート紙であるから、排尿時、尿が男性用排尿補助具の表面に滲出することがなく衛生的であり、また使用後には便器内に投下して処理できるという利便性がある。
【考案を実施するための最良の形態】
【００２１】
以下、本考案に係る、男性用排尿補助具の最良な実施形態について、図面を参照しながら説明する。図１は、男性用排尿補助具（以下、補助具Ａという）を製作するための紙製シートの展開図、図２は、補助具Ａを組み立てた状態の正面図、図３は、補助具Ａの使用前斜視図、図４は、男性用排尿補助具（以下、補助具Ｂという）を製作するための紙製シートの展開図、図５は、補助具Ｂを組み立てた状態の斜視図、図６は、補助具Ａを収納した状態の一例を示す正面図、図７は、補助具Ｂを収納した状態の一例を示す正面図である。
【００２２】
図１は、補助具Ａを製作するための紙製シート１の展開図で、該紙製シート１は、厚さ約０．２ｍｍ〜０．３ｍｍのコート紙（塗工紙）を素材としている。２は、紙製シート１の中心部上端から下端に形成された折り畳み線で、該折り畳み線２の左右には対称形の略二等辺三角形状の左壁面部３及び右壁面部４が形成されている。左壁面部３の上端３ａの中心部から下端３ｂの中心部に谷折れ線３ｃが刻設され、右壁面部４の上端４ａの中心部から下端４ｂの中心部に谷折れ線４ｃが刻設されている。３ｄは、左壁面部３の斜辺端部、４ｄは、右壁面部４の斜辺端部で、両者何れかに接着剤が塗布される。
【００２３】
図２は、左壁面部３の斜辺端部３ｄに接着剤が塗布され、右壁面部４が折り畳み線２で折り畳まれ、斜辺端部３ｄに重合、貼着されて、補助具Ａは製作される。図２中のＤ１は、左右壁面部３及び４の上端３ａ及び４ａの長さ寸法を示し、約１０ｃｍ〜１２ｃｍ、好ましくは約１１ｃｍで、大径の開口部Ａ１（図３）が形成される。Ｄ２は、左右壁面部３及び４の下端３ｂ及び４ｂの長さ寸法を示し、折り畳まれた状態で、約８ｍｍ〜９ｍｍ、好ましくは約８．５ｍｍで小径の開口部Ａ２（図３）が形成される。Ｈは、折り畳み線２の長さ寸法で、約１３ｃｍ〜１５ｃｍ、好ましくは約１４ｃｍである。
【００２４】
図２に示す補助具Ａを折り畳まれた状態から使用状態とするためには、補助具Ａの
左右斜辺端部３ｄ、４ｄと折り畳み線２のやや上部を片手で把持し、図２の矢印Ｐ、Ｐに示すように補助具Ａの中心部に向けて押圧すれば、谷折れ線３ｃ、４ｃにより、図３に示すように、上部に大径の開口部Ａ１、下部に小径の開口部Ａ２が容易に形成され、開口部Ａ１は、大径が約８．５ｃｍ〜９ｃｍの排泄器官の挿入口となり、開口部Ａ２は、平面視略菱形で大径が約６．５ｍｍ〜７．５ｍｍの放尿排出口が形成される。
【００２５】
補助具Ａを使用するには、片手で図３の状態を保ちながら、排泄器官（尿道口）を開口部Ａ１内に挿入して放尿すれば、尿は補助具Ａの左右壁面部３、４に当って下方に流下し、開口部Ａ２から便器内に円滑に落下する。開口部Ａ２の口径寸法について、本願考案者は、成人男性の排尿量、排尿速度等を勘案し、種々実験した結果、円滑な排尿処理ができるのは、開口部Ａ２における大径寸法が、約６．５ｍｍ〜７．５ｍｍが好ましいことが判明した。なお、上述の開口部Ａ２の口径寸法Ｄ２、大径の開口部Ａ１を形成する長さ寸法Ｄ１及び折り畳み線２の長さ寸法Ｈ等を、普通サイズ（Ｍ）とし、これより若干小サイズのＳ寸、普通サイズ（Ｍ）より若干大サイズとしたＬ寸を製作、販売することができる。
【００２６】
図４は、補助具Ｂを製作するための紙製シート１０の展開図で、該紙製シート１０は、厚さ約０．２ｍｍ〜０．３ｍｍのコート紙（塗工紙）を素材としている。補助具Ｂは、図示するように上端１０ａは大きな扇状に、下端１０ｂは小なる扇状に裁断される。Ｗ１は約２２ｃｍ〜２３ｃｍで、Ｗ２は約１３ｍｍ〜１５ｍｍとしている。紙製シート１０の左右端部１０ｃ、１０ｄのいずれかに接着剤が塗布され、左右端部１０ｃ、１０ｄは重合するように巻回されて、貼着され、正面視漏斗状円錐形の補助具Ｂが完成される。なお、１０ｅは、壁面部である。
【００２７】
図５に示すのは、補助具Ｂの完成及び使用状態で、上部に直径約９ｃｍ〜１０ｃｍの大径の開口部Ｂ１、下部には直径約６．５ｍｍ〜７．５ｍｍの小径で円形状の開口部Ｂ２が形成され、開口部Ｂ１は、排泄器官の挿入口となり、開口部Ｂ２は、放尿排出口となる。
【００２８】
補助具Ｂを使用するには、片手で図５の状態で保持し、排泄器官（尿道口）を開口部Ｂ１内に挿入して放尿すれば、尿は補助具Ｂの壁面部１０ｅに当って下方に流下し、開口部Ｂ２から便器内に円滑に落下する。開口部Ｂ２の直径寸法について、本願考案者は、成人男性の排尿量、排尿速度等を勘案し、種々実験した結果、円滑な排尿処理ができるのは、開口部Ｂ２の直径が約６．５ｍｍ〜７．５ｍｍであることが判明した。なお、上述の開口部Ｂ２の直径寸法、大径の開口部Ｂ１等を、普通サイズ（Ｍ）とし、これより若干小サイズのＳ寸、普通サイズ（Ｍ）より若干大サイズとしたＬ寸を製作、販売することができる。
【００２９】
図６は、補助具Ａを収納した状態の一例を示す正面図で、Ｃは、樹脂又は紙製の有底ケースで、図示するように、補助具Ａの大径の開口部Ａ１を下に、小径の開口部Ａ２を上にしてケースＣ底部に水平方向に配列し、トイレ室内の洗浄用タンク等に載置しておけば使用上、便利である。なお補助具Ａは、不使用時、折り畳まれた状態であるから、ケースＣ内で垂直状に複数枚、スタッキングすることも可能である。
【００３０】
図７は、補助具Ｂを収納した状態の一例を示す正面図で、Ｃは、樹脂又は紙製の有底ケースで、図示するように、補助具Ｂの大径の開口部Ｂ１を下に、小径の開口部Ｂ２を上にしてケースＣの底部に垂直状に複数枚、スタッキングしてトイレ室内の洗浄用タンク等に載置しておけば使用上、便利である。
【産業上の利用可能性】
【００３１】
本考案に係る、補助具Ａ及びＢは、男性が洋式便器又は和式便器での排尿時において、便器周縁部又は便器近傍床面等への排尿が飛散することを防止する衛生用具として、特に一般家庭において利用することができる。
【図面の簡単な説明】
【００３２】
【図１】は、本考案に係る、補助具Ａを製作するための紙製シートの展開図である。
【図２】は、補助具Ａを組み立てた状態の正面図である。
【図３】は、補助具Ａの使用前斜視図である。
【図４】は、補助具Ｂを製作するための紙製シートの展開図である。
【図５】は、補助具Ｂを組み立てた状態の斜視図である。
【図６】は、補助具Ａを収納した状態の一例を示す正面図である。
【図７】は、補助具Ｂを収納した状態の一例を示す斜視図である。
【符号の説明】
【００３３】
Ａ                         補助具
Ａ１                       大径の開口部
Ａ２                       小径の開口部
１                         紙製シート
２                         折り畳み線
３                         左壁面部
４                         右壁面部
３ａ、４ａ                 上端
３ｂ、４ｂ                 下端
３ｃ、４ｃ                 谷折れ線
３ｄ、４ｄ                 斜辺端部
【図１】
0003133804.tif 000003
【図２】
0003133804.tif 000004
【図３】
0003133804.tif 000005
【図４】
0003133804.tif 000006
【図５】
0003133804.tif 000007
【図６】
0003133804.tif 000008
【図７】
0003133804.tif 000009